(57)【要約】　　　（修正有）【課題】短納期で安く製造する。【解決手段】モダン本体４の一部に切削などの加工を施して設けた溝５，５に顔料等を混合したカラフルな接着性樹脂、例えばエポキシ樹脂６，６を注入・充填してカラー装飾部を形成した。【選択図】　　　　図２
0003098047.tif 000002
【実用新案登録請求の範囲】
【請求項１】
金属製ツルの先端部に挿着される樹脂製モダンにおいて、モダン本体の一部に設けた溝に顔料等を混合したカラフルな接着性樹脂を注入・充填して形成したことを特徴とするメガネフレームのモダン。
【請求項２】
上記接着性樹脂として脱泡されたエポキシ樹脂を用いた請求項１記載のメガネフレームのモダン。
【請求項３】
上記モダン本体の溝を射出形成にて加工した請求項１、又は請求項２記載のメガネフレームのモダン。
【請求項４】
上記モダン本体の溝を切削加工した請求項１、又は請求項２記載のメガネフレームのモダン。
【考案の詳細な説明】
【０００１】
【考案の属する技術分野】
本考案はメガネフレームのツル先端に挿着する樹脂製モダンに関するものである。
【０００２】
【従来の技術】
メガネフレームはレンズを保持して顔に掛ける為の一種の道具であって、長時間にわたって着用しても疲れることがないように色々工夫にされている。その為に、近年のメガネフレーム、特に金属製メガネフレームではチタン等の軽くてバネ性の高い材質が好まれている。しかし、メガネは軽くて疲れ難いといった機能性のみならず、顔に掛けることでファッション性が要求されている為に、色々な装飾・デザインが施されていることも事実である。
【０００３】
バネ性に優れたチタン材を用いてスリムなメガネフレームが構成されているが、これもメガネフレームのデザインを考慮した１つである。その他に、メガネフレームの２次加工として、塗装したり、カラーメッキしたり、時には宝石等の貴金属部品を取り付けることで、メガネに高級感を与えるといった工夫も従来から行われて来ている。
【０００４】
ところで、本考案が対象とするモダンも例外ではなく、樹脂製の板材や棒材を所定形状に削り出し加工によって製作したモダンが高級なメガネフレームに挿着されている。又、一般的な製造法である射出成形モダンにあっては、２種類ないし３種類のカラー樹脂を同時に射出することで、カラフルなモダンを作ることが出来る。
【０００５】
一方、モダンを装飾した別形態として、図４に示すようなモダンが従来から好まれている。すなわち、モダンの先端部に色彩を異にしたカラー装飾を形成している。モダン全体を複数カラー樹脂で形成しても、形成される模様はランダムであって、他の色彩との境界がスッキリしない為に装飾効果に乏しい。これに対して、モダンの１部（先端部に限らない）にカラー装飾部を形成することで、この部分が強調される為に装飾効果が大きい。
【０００６】
ところで、上記カラー装飾を形成するモダンの製造方法としては２段形成が行われている。すなわち、前記図４のＡ−Ａ断面が分かる工程を図　に示すように、（ａ）の第１工程では断面が概略Ｈ型となるように形成され、溝（イ）を形成する。そして、（ｂ）の第２工程にて、この溝（イ）、（イ）に別のカラー樹脂（ロ）、（ロ）を射出して充填する。
【０００７】
従って、モダンを形成する際には２セットの金型が必要なり、又この場合、上記溝（イ）、（イ）の内面（ハ）、（ハ）に接着剤が塗布される。これは、溝内面（ハ）、（ハ）が固まっている状態で別のカラー樹脂（ロ）、（ロ）を流し込んで充填しても結合しない為に接着剤が使用される訳で、接着剤の塗布によって溝（イ）、（イ）の内面（ハ）、（ハ）は融けてしまい、平坦な内面又は滑らかな内面を保つことが出来ない。すなわち、凹凸化した内面（ハ）、（ハ）となり、ここにカラー樹脂（ロ）、（ロ）を流し込んで充填される為に、出来上がったカラー装飾部の境界はスッキリしないことになる。
【０００８】
一方、別の問題として、カラー樹脂を流し込む際に溝（イ）、（イ）の内面（ハ）、（ハ）には細かい気泡が入ってしまい、これが装飾効果を大きく低下させる。さらには、２セットの金型を必要とすると共に、接着剤を内面（ハ）、（ハ）に塗布しなければならないことから、モダンのコスト高を招き、納期もかかるといった問題が存在する。
【０００９】
上記のような２段階成形の他に、貼り合せ方法によって製作することも出来る。しかし、この貼り合せ方法の場合、各部材が切削加工されると共に貼り合せ工程が必要であることで、その製作コストはさらに高く成る。勿論、各部材を成形しても良いが、金型セットが数多く必要となり、コスト高を招くことは同じである。
【００１０】
【考案が解決しようとする課題】
このように、従来のモダンには上記のごとき問題がある。本考案が解決しようとする課題はこれら問題点であり、モダン本体との境界がぼやけることなくスッキリしたカラー装飾部を形成したモダンを提供する。又、このカラー装飾部を短納期で安く製造することが可能なモダンを提供する。
【００１１】
【課題を解決する為の手段】
本考案に係るメガネフレームのモダンは前記図４に示すように、一部にカラー装飾部を形成したモダンである。カラー装飾部の位置はモダンの先端部に限ることはなく、中間部に設けることもある。そこで、本考案ではモダン本体の一部に溝を形成し、この溝にカラフルな接着性の樹脂を流し込む。この樹脂はエポキシ樹脂等の接着性に優れたものが使用され、常温下において流し込まれる。溝に接着性の樹脂を流し込む方法は自由であるが、例えば注射器に樹脂を注入し、これを針先から溝に注入充項することができる。
【００１２】
この場合、注射器に注入される樹脂中に空気が混入しないようにすることが必要である。このように、溝にはカラフルな接着性樹脂が充填されることで、その後、硬化するならばカラー装飾部が形成され、常温下で形成されると共に溝内面には接着剤を塗布することもない。従って、溝内面が形崩れすることはなく、形成されるカラー装飾部の境界はスッキリと出来上がる。以下、本考案に係る実施例を図面に基づいて詳細に説明する
【００１３】
【実施例】
図１は一般的な金属製のメガネフレームを示している。このメガネフレームはフロント部１と２本のツル２、２を有し、該ツル２、２はフロント部１の両側に折り畳み出来るように取り付けられている。そして、金属製のツル２、２の先端部には本考案の対象となる樹脂製のモダン３、３が挿着されている。モダン３の中心軸部には芯穴が形成され、この芯穴にツルが嵌入して取り付けられている。
【００１４】
図２は本考案のモダン製造工程を示している。
（ａ）モダン本体４の先端部に溝５，５を設けている。このモダン本体４は一般に射出形成されると共に溝５、５を同時に作ることが出来る。ただし、溝５、５は必ずしもモダン本体４と同時に射出形成にて加工する場合に限らず、後加工として溝５、５を切削加工することも可能である。
（ｂ）上記溝５、５に接着性樹脂を注入して充填した場合である。この接着性樹脂とは、例えばエポキシ樹脂６を使用することが出来、溝５、５に充填して時間が経つことで硬化する。そして、接着性が高いために、溝５、５から外れることもない。ここで、エポキシ樹脂６には、顔料を混入してカラフルな色彩を与えることが出来るようにしている。勿論、顔料の他に細かい金属粉等を混入することで、光の反射を利用して装飾効果を一段向上することも可能である。
【００１５】
（ｃ）溝５、５に注入・充填されるエポキシ樹脂６は、モダンの外形に相当する表面７より多少盛り上がっている為に、この盛り上がり部分８は（はみ出し部分）は除去されなくてはならない。該盛り上がり部分８の除去は一般にバレル研磨によって行われ、同図に示す所定形状のモダンが出来上がる。
【００１６】
上記溝５、５へのエポキシ樹脂６の注入は、注射器を用いて手軽に行うことが出来、高温の溶融樹脂を流し込む従来の射出形成とは異なる。したがって、溝内面が凹凸化して形崩れすることはなく、注入・充填して硬化したカラー装飾部はモダン本体１との境界がスッキリして形成される。
【００１７】
図３（ａ）〜（ｃ）は別の箇所にカラー装飾部を形成したモダン３を示す具体例である。
（ａ）に示すモダンは、モダン基部（ツルの挿着側）にカラー装飾部９が形成されている。
（ｂ）に示すモダンは、先端部に大小６個のカラー装飾部９，９・・を形成している。
（ｃ）に示すモダンは、先端にカラー装飾部９を形成している。
これら、何れのカラー装飾部９，９・・も所定の箇所に溝を加工し、この溝に顔料を混合したエポキシ樹脂等の接着性樹脂を注入・充填して作られる。
【００１８】
以上述べたように、本考案のメガネフレームのモダンは、モダン本体の一部に溝を加工し、この溝に接着性樹脂を注入・充填したものであり、次のような効果を得ることが出来る。
【００１９】
【考案の効果】
本考案に係るメガネフレームのモダンは、モダン本体に加工した溝に顔料等を混合した接着性樹脂を注入・充填して形成されるために、形成されるカラー装飾部の境界はぼやけることなくスッキリと区画されて形作られる。そして、従来のように２段成形しないことで、金型はモダン本体成形用の１セットでよく、又接着性樹脂を注入することで溝内面に接着剤を前以って塗布する必要もなく、製作コストは安くなる。一方、注入される接着性樹脂中からは空気が除去され、すなわち、脱泡処理されることで、カラー装飾部に気泡が混在して装飾性を損失させることもない。
【図面の簡単な説明】
【図１】一般的なメガネフレーム
【図２】本考案のモダン製造工程
【図３】本考案のモダンの示す具体例
【図４】カラー装飾部を有すモダン
【図５】従来のカラー装飾部の加工方法
【符号の説明】
１　フロント部
２　ツル
３　モダン
４　モダン本体
５　溝
６　エポキシ樹脂
７　表面
８　盛り上がり部分
９　カラー装飾部
【図１】
0003098047.tif 000003
【図２】
0003098047.tif 000004
【図３】
0003098047.tif 000005
【図４】
0003098047.tif 000006
【図５】
0003098047.tif 000007